(57)【要約】エステル結合を含むものなど、開裂可能なペンダント基を含む官能化シロキサンポリマー。このようなシリコーンを含む組成物、例えば、消費者製品組成物。このようなポリマー及び組成物の作製方法及び使用方法。
2021520437.tif 000002
【特許請求の範囲】
【請求項１】
式（Ｉ）の構造を有する１つ以上の繰り返し単位を含むシロキサンポリマーであって、
【化１】
2021520437.tif 000024
式中、
ａ）各Ｌは、連結二価アルキレンラジカルであり、好ましくは、各Ｌは、独立して、
【化２】
2021520437.tif 000025
−（ＣＨ２）ｓ−、−（Ｈ２Ｃ）ｓＯＣ６Ｈ４−、及びこれらの組み合わせからなる群から選択され、より好ましくは、少なくとも１つのＬは、−（ＣＨ２）ｓ−又は−（Ｈ２Ｃ）ｓＯＣ６Ｈ４−であり、更により好ましくは、少なくとも１つのＬは、−（ＣＨ２）ｓ−であり、
式中、
各Ｒ２は、独立して、Ｈ、Ｃ１〜Ｃ４アルキル、置換アルキル、アリール、置換アリール、及びこれらの組み合わせからなる群から選択され、好ましくは、Ｈ又はＣ１〜Ｃ４アルキル、最も好ましくは、Ｈ又はメチルであり、
各ｓは、独立して、１〜約２０の整数であり、好ましくは、各ｓは、独立して、２〜約１２の整数であり、
各ｙは、独立して、１〜約１００の整数であり、好ましくは、各ｙは、独立して、１〜約２０の整数であり、より好ましくは、ｙは、独立して、１〜約１０の整数であり、
ｂ）各Ｘは、独立して、
（ｉ）
【化３】
2021520437.tif 000026
からなる群から選択されるグループＩ（非エステル）部分であって、
式中、各Ｒ４部分は、独立して、Ｈ、Ｃ１〜Ｃ３２アルキル、Ｃ１〜Ｃ３２置換アルキル、Ｃ６〜Ｃ３２アリール、Ｃ５〜Ｃ３２置換アリール、Ｃ６〜Ｃ３２アルキルアリール、Ｃ６〜Ｃ３２置換アルキルアリールからなる群から選択され、式中、Ｚは以下のように定義され、
好ましくは、各Ｘは、独立して、
【化４】
2021520437.tif 000027
からなる群から選択され、
より好ましくは、各Ｘは、独立して、
【化５】
2021520437.tif 000028
からなる群から選択され、
式中、各添え字ｍは、１若しくはゼロであり、但し、Ｘが酸素であるとき、添え字ｍは０である、グループＩ（非エステル）部分、並びに／又は、
（ｉｉ）
【化６】
2021520437.tif 000029
からなる群から選択されるグループＩＩ（エステル）部分であって、
式中、Ｅは電子求引基であり、好ましくは、Ｅは、Ｎ、Ｏ、Ｓ、アリール部分、及びアルケン部分からなる群から選択され、より好ましくは、ＥはＮであり、
各Ｒ４部分は、独立して、Ｈ、Ｃ１〜Ｃ３２アルキル、Ｃ１〜Ｃ３２置換アルキル、Ｃ６〜Ｃ３２アリール、Ｃ５〜Ｃ３２置換アリール、Ｃ６〜Ｃ３２アルキルアリール、Ｃ６〜Ｃ３２置換アルキルアリールからなる群から選択され、
各Ｚは、独立して、Ｃ１〜Ｃ３２アルキレン、Ｃ１〜Ｃ３２置換アルキレン、Ｃ６〜Ｃ３２アリール、Ｃ５〜Ｃ３２置換アリール、Ｃ６〜Ｃ３２アルキレンアリール、及びＣ５〜Ｃ３２置換アルキレンアリールからなる群から選択され、好ましくは、Ｚは、Ｃ１〜Ｃ３２アルキレン若しくはＣ１〜Ｃ３２置換アルキレンであり、最も好ましくは、Ｚは、Ｃ１〜Ｃ４アルキレン若しくはＣ１〜Ｃ４置換アルキレンから選択されるか、又は各Ｚは、独立して、
【化７】
2021520437.tif 000030
からなる群から選択され、
添え字ｊは、１〜３２の整数であり、好ましくは、ｊは、１〜１０の整数であり、より好ましくは、ｊは、２〜８の整数であり、最も好ましくは、ｊは、２〜４の整数であり、
各添え字ｍは１である、グループＩＩ（エステル）部分、
からなる群から選択され、
ｃ）各Ｒ１は、独立して、Ｈ、ＯＨ、Ｃ１〜Ｃ３２アルキル、Ｃ１〜Ｃ３２置換アルキル、Ｃ６〜Ｃ３２アリール、Ｃ５〜Ｃ３２置換アリール、Ｃ６〜Ｃ３２アルキルアリール、Ｃ６〜Ｃ３２置換アルキルアリール、Ｃ１〜Ｃ３２アルコキシ、及びＣ１〜Ｃ３２置換アルコキシからなる群から選択され、好ましくは、各Ｒ１は、独立して、Ｈ、ＯＨ、Ｃ１〜Ｃ１６アルキル、Ｃ１〜Ｃ４アルコキシ、ベンジル部分、及びフェニルプロピル部分からなる群から選択され、より好ましくは、各Ｒ１は、独立して、Ｈ、ＯＨ、Ｃ１アルキル、及びＣ１アルコキシからなる群から選択され、
ｄ）各Ｙは、独立して、Ｈ、ＯＨ、Ｃ１〜Ｃ３２アルキル、Ｃ１〜Ｃ３２置換アルキル、Ｃ６〜Ｃ３２アリール、Ｃ５〜Ｃ３２置換アリール、Ｃ６〜Ｃ３２アルキルアリール、及びＣ６〜Ｃ３２置換アルキルアリールからなる群から選択され、好ましくは、Ｙは、アミノ部分、ヒドロキシ部分、チオール部分、カルボキシ部分、及び四級アンモニウム部分を含み、より好ましくは、Ｙは、アミノ部分又は四級アンモニウム部分を含み、
ｅ）添え字ｐは、約２〜約１０００の整数であり、好ましくは、ｐは、約１０〜約５００の整数であり、より好ましくは、ｐは、約２０〜約２００の整数であり、
ｆ）添え字ｏは、約１〜約５００の整数であり、好ましくは、ｏは、約１〜約５０の整数であり、より好ましくは、ｏは、約１〜約２０の整数である、
シロキサンポリマー。
【請求項２】
以下の構造を有し、
【化８】
2021520437.tif 000031
式中、
ａ）各Ｌは、連結二価アルキレンラジカルであり、好ましくは、Ｌは、−（ＣＨ２）ｓ−及び
【化９】
2021520437.tif 000032
から選択され、より好ましくは、Ｌは、−（ＣＨ２）ｓ−であり、
各ｓは、独立して、１〜約２０の整数であり、好ましくは、各ｓは、独立して、２〜約１２の整数であり、
ｂ）各Ｘは、独立して、
（ｉ）
【化１０】
2021520437.tif 000033
のグループＩ（非エステル）部分であって、
式中、各Ｒ４部分は、独立して、Ｈ、Ｃ１〜Ｃ３２アルキル、Ｃ１〜Ｃ３２置換アルキル、Ｃ６〜Ｃ３２アリール、Ｃ５〜Ｃ３２置換アリール、Ｃ６〜Ｃ３２アルキルアリール、Ｃ６〜Ｃ３２置換アルキルアリールからなる群から選択され、
式中、各添え字ｍは、１又はゼロであり、但し、Ｘが酸素であるとき、添え字ｍは０である、グループＩ（非エステル）部分、並びに／又は
（ｉｉ）
【化１１】
2021520437.tif 000034
のグループＩＩ（エステル）部分であって、
式中、各Ｒ４部分は、独立して、Ｈ、Ｃ１〜Ｃ３２アルキル、Ｃ１〜Ｃ３２置換アルキル、Ｃ６〜Ｃ３２アリール、Ｃ５〜Ｃ３２置換アリール、Ｃ６〜Ｃ３２アルキルアリール、Ｃ６〜Ｃ３２置換アルキルアリールからなる群から選択され、
各添え字ｍは、１である、グループＩＩ（エステル）部分、
からなる群から選択され、
ｃ）各Ｒ１はメチルであり、
ｄ）各Ｙは、独立して、Ｃ１〜Ｃ３２置換アルキル、Ｃ５〜Ｃ３２置換アリール、Ｃ６〜Ｃ３２置換アルキルアリールからなる群から選択され、置換は、もしあれば、アミノ部分又は四級アンモニウム部分であり、
ｅ）添え字ｐは、約１０〜約５００の整数であり、
ｆ）添え字ｏは、約１〜約２０の整数であり、
ｇ）各Ｍは、
【化１２】
2021520437.tif 000035
であり、式中、各Ｒ１は独立して、上記のような群から選択される、請求項１に記載のシロキサンポリマー。
【請求項３】
各Ｘが、独立して、
（ｉ）
【化１３】
2021520437.tif 000036
のグループＩ（非エステル）部分からなる群から選択され、
式中、各Ｒ４部分は、独立して、Ｈ、Ｃ１〜Ｃ３２アルキル、Ｃ１〜Ｃ３２置換アルキル、Ｃ６〜Ｃ３２アリール、Ｃ５〜Ｃ３２置換アリール、Ｃ６〜Ｃ３２アルキルアリール、Ｃ６〜Ｃ３２置換アルキルアリールからなる群から選択される、請求項１又は２に記載のシロキサンポリマー。
【請求項４】
各Ｘが、独立して、
【化１４】
2021520437.tif 000037
のグループＩＩ（エステル）部分から選択され、
式中、各Ｒ４部分は、独立して、Ｈ、Ｃ１〜Ｃ３２アルキル、Ｃ１〜Ｃ３２置換アルキル、Ｃ６〜Ｃ３２アリール、Ｃ５〜Ｃ３２置換アリール、Ｃ６〜Ｃ３２アルキルアリール、Ｃ６〜Ｃ３２置換アルキルアリールからなる群から選択される、請求項１〜３のいずれか一項に記載のシロキサンポリマー。
【請求項５】
各Ｘが、
【化１５】
2021520437.tif 000038
である、請求項１〜４のいずれか一項に記載のシロキサンポリマー。
【請求項６】
前記Ｙ基が、アミノ部分又は四級アンモニウム部分を含む、請求項１〜５のいずれか一項に記載のシロキサンポリマー。
【請求項７】
請求項１〜６のいずれか一項に記載のシロキサンポリマーと、担体と、を含む組成物であって、
好ましくは、前記組成物の約０．２重量％〜約１０重量％、より好ましくは約０．５重量％〜約５重量％の前記シロキサンポリマーを含む、組成物。
【請求項８】
前記組成物が、界面活性剤を更に含み、好ましくは、前記界面活性剤が、アニオン性界面活性剤、非イオン性界面活性剤、カチオン性界面活性剤、両性界面活性剤、及びこれらの混合物からなる群から選択され、より好ましくは、前記界面活性剤が、直鎖状又は分枝状アルキルベンゼンスルホネート、アルキルサルフェート、アルキルエトキシサルフェート、アルキルエトキシレート、アルキルグリセリルスルホネート、四級アンモニウム界面活性剤、及びこれらの混合物からなる群から選択され、好ましくは、前記四級アンモニウム界面活性剤が、エステル四級アンモニウム化合物である、請求項７に記載の組成物。
【請求項９】
前記組成物が、界面活性剤、色ケアポリマー、付着助剤、界面活性剤増強ポリマー、ｐＨ調整剤、製品色安定剤、防腐剤、溶媒、ビルダー、キレート剤、移染防止剤、分散剤、酵素及び酵素安定剤、触媒材料、漂白剤、漂白活性剤、ポリマー分散剤、粘土汚れ除去／再付着防止剤、増白剤、抑泡剤、染料、紫外線吸収剤、香料、追加の香料送達系、構造弾性化剤、増粘剤／構造剤、布地柔軟剤、担体、ヒドロトロープ、オリゴアミン、加工助剤、色相剤、顔料、並びにこれらの混合物からなる群から選択される補助成分を更に含む、請求項７又は８に記載の組成物。
【請求項１０】
前記組成物が、エステル四級アンモニウム化合物を更に含み、より好ましくは、前記組成物が、組成物の総重量に基づいて、約３重量％〜約２５重量％、好ましくは約４％〜約２０重量％、より好ましくは約５重量％〜約１５重量％、最も好ましくは約７重量％〜約１２重量％の前記エステル四級アンモニウム化合物を含む、請求項７〜９のいずれか一項に記載の組成物。
【請求項１１】
前記組成物が、固体形態、液体形態、又はこれらの混合、好ましくは液体形態である、請求項７〜１０のいずれか一項に記載の組成物。
【請求項１２】
前記組成物が、布地ケア組成物である、請求項７〜１１のいずれか一項に記載の組成物。
【請求項１３】
前記組成物が、未希釈香料、カプセル化香料、若しくはこれらの混合物を含み、かつ／又は前記担体が、水、非水性溶媒、塩、若しくはこれらの組み合わせを含む、請求項７〜１２のいずれか一項に記載の組成物。
【請求項１４】
前記シロキサンポリマーが、合成例１〜１３のいずれかに記載の、好ましくは合成例７〜１３のいずれかに記載のポリマーである、請求項７〜１３のいずれか一項に記載の組成物。
【請求項１５】
表面を処理する方法であって、表面、好ましくは布地を、請求項７〜１４のいずれか一項に記載の組成物と、好ましくは水の存在下で、より好ましくは自動洗濯機のすすぎサイクル中に、接触させる工程を含む、方法。
【発明の詳細な説明】
【技術分野】
【０００１】
本開示は、開裂可能なペンダント基を含む官能化シロキサンポリマーに関する。本開示はまた、このようなシリコーンを含む組成物、例えば、消費者製品組成物に関する。本開示はまた、このようなポリマー及び組成物の作製方法及び使用方法にも関する。
【背景技術】
【０００２】
官能化シロキサンポリマーは、布地柔軟性、ヘアコンディショニング、布地のしわ防止制御、形状維持、染み制御、及び色ケアなど、様々なタイプの表面に多数の処理効果を提供する。
【０００３】
更に、持続可能かつ／又は環境に優しい材料が、現在非常に望まれているが、これは、典型的に、それらの作製に必要とされるエネルギーがより少なく、必要とされる原材料の濃度がより低く、かつ／又は廃棄がより容易であるためである。
【発明の概要】
【発明が解決しようとする課題】
【０００４】
改善された持続可能性／環境／分解性プロファイルを有しながら、処理効果を提供することができるポリマー及び組成物が必要とされている。
【課題を解決するための手段】
【０００５】
本開示は、ペンダント基を含むシロキサンポリマーに関する。シロキサンポリマーは、式Ｉによる構造／実験式を有する１つ以上の繰り返し単位を含んでもよく、
【０００６】
【化１】
2021520437.tif 000003
式中、Ｘ部分が開裂可能な結合を含む部分であり、Ｒ１、Ｌ、Ｘ、及びＹ部分は、以下により詳細に記載される。
【０００７】
本開示は、更に、このようなシロキサンポリマーを含む、消費者製品組成物などの組成物に関する。組成物は、担体を更に含み得る。
【０００８】
本開示は更に、このような組成物で表面を処理する方法に関する。
【図面の簡単な説明】
【０００９】
本明細書の図面は、事実上例示的なものであり、限定的であることを意図したものではない。
【図１−１】合成例で形成されたポリマーの構造を含む表を示す。
【図１−２】合成例で形成されたポリマーの構造を含む表を示す。
【図１−３】合成例で形成されたポリマーの構造を含む表を示す。
【図１−４】合成例で形成されたポリマーの構造を含む表を示す。
【発明を実施するための形態】
【００１０】
本開示は、ペンダント基を含む官能化シロキサンポリマーに関する。ペンダント基は、エステル基などの容易に開裂可能な結合を含む部分を含む。ペンダント基はまた、官能性部分を含み得る。
【００１１】
理論に束縛されるものではないが、本開示の官能化シロキサンポリマーは、典型的な貯蔵及び／又は製品組成条件下で（例えば、約２〜４のｐＨで、液体布地強化剤中で）安定であると考えられる。しかしながら、意図されるように使用した後、ポリマーは、開裂可能な結合を含む部分で加水分解する傾向があり、その結果、生分解性が向上する。例えば、ペンダント基がアミノ又は四級アンモニウム部分を含有する場合、開裂可能な結合は、（例えば、約ｐＨ７、廃水条件下、及び／又は環境中のエステラーゼなどの酵素に曝露されたとき）加水分解し、シロキサン主鎖から官能性部分を効果的に放出し得る。
【００１２】
本開示のシロキサンポリマー、組成物、及び方法を以下でより詳細に述べる。
【００１３】
定義
本明細書で使用する場合、特許請求の範囲で使用される際の冠詞「ａ」及び「ａｎ」は、特許請求又は記載されているもののうちの１つ以上を意味すると理解される。本明細書で使用する場合、用語「含む（include）」、「含む（includes）」、及び「含んでいる（including）」は、非限定的であることを意味する。本開示の組成物は、本開示の成分を含むか、それらから本質的になるか、又はそれらからなることができる。
【００１４】
本明細書では、「実質的に含まない（substantially free of）」又は「実質的に含まない（substantially free from）」という用語が使用されてもよい。これは、指示される材料が最小限の量であり、組成物の一部を形成するように意図的にその組成物に添加されたものでないこと、又は好ましくは、分析的に検出可能な濃度で存在しないことを意味する。それは、指示される材料が意図的に含まれる他の材料のうちの１つの中に不純物としてのみ存在する組成物を含むことを意味する。指示される材料は、あったとしても、組成物の１重量％未満、又は０．１重量％未満、又は０．０１重量％未満、又は更には０重量％の濃度で存在してもよい。
【００１５】
本明細書で使用する場合、「消費者製品」は、それが販売されている形態での使用又は消費が意図され、後続する商業的製造又は修正が意図されない、ベビーケア、ビューティケア、布地及びホームケア、ファミリーケア、女性用ケア、ヘルスケア製品又は装置を意味する。かかる製品としては、おむつ、胸当て、ワイプ；毛髪（ヒト、イヌ、及び／又はネコ）を処理するための製品及び／又はそれに関連する方法（脱色、着色、染色、コンディショニング、シャンプー、スタイリング用を含む）；脱臭剤及び制汗剤；パーソナルクレンジング；化粧品；消費者使用のためのクリーム、ローション、及び局所的に適用される他の製品の適用を含むスキンケア；並びにシェービング製品、布地、硬質表面、並びに布地及びホームケア分野の任意の他の表面を処理するための製品及び／又はそれに関連する方法（空気ケア、自動車ケア、食器洗浄、布地コンディショニング（柔軟化を含む）、洗濯洗剤、洗濯及びすすぎ用添加剤及び／又はケア、硬質表面洗浄及び／又は処理、並びに消費者又は事業者使用のための他の洗浄を含む）；トイレットペーパー、ティッシュ、紙製ハンカチ、及び／又はペーパータオルに関連する製品及び／又は方法；タンポン、女性用ナプキン；口腔ケアに関連する製品及び／又は方法（練り歯磨き、歯磨きジェル、歯すすぎ剤、入れ歯接着剤、歯ホワイトニング剤を含む）が挙げられるが、これらに限定されない。
【００１６】
本明細書で使用する場合、「洗浄及び／又は処理組成物」という用語は、別途記載のない限り、顆粒若しくは粉末形態の、汎用又は「強力」洗浄剤、特に洗浄洗剤；固体、顆粒、若しくは粉末、又はビーズ形態の、布地フレッシュニング組成物又は布地ケア組成物；液体、ゲル、又はペースト形態の汎用洗浄剤、特にいわゆる強力液体タイプのもの；繊細な布地用の液体洗剤；食器手洗い用洗剤又は軽作業用食器用洗剤、特に高発泡タイプのもの；食器洗浄機用洗剤（家庭用及び業務用の、様々なタブレット、顆粒、液体、及びすすぎ補助タイプのものを含む）；液体洗浄剤及び消毒剤（抗菌性手洗いタイプ、洗浄バー、口腔洗浄剤、入れ歯洗浄剤、歯磨剤、自動車又はカーペット用シャンプー、浴室用洗浄剤を含む）；毛髪用シャンプー及び毛髪用リンス；シャワージェル及びフォームバス、並びに金属洗浄剤；布地ケア組成物；加えて、漂白添加剤、及び「染み固着」タイプ又は前処理タイプなどの洗浄補助剤、乾燥機用シート（dryer added sheet）、乾燥及び湿潤ワイプ及びパッド、不織布基材、並びにスポンジなどの基材添加製品（substrate-laden product）；加えて、スプレー及びミストを含む。
【００１７】
本明細書で使用する場合、語句「布地ケア組成物」は、布地処理用に設計された組成物及び配合物を含む。このような組成物は、洗濯洗浄組成物及び洗剤、布地柔軟化組成物、布地強化組成物、布地消臭組成物、予洗い用洗剤（laundry prewash）、洗濯前処理剤、洗濯添加剤、スプレー製品、ドライクリーニング剤又は組成物、洗濯すすぎ添加剤、洗浄添加剤、すすぎ後布地処理剤、アイロン助剤、単位用量配合物、遅延送達配合物、多孔性基材若しくは不織布シート上又は中に含有される洗剤、及び本明細書の教示を考慮すると当業者に明白であり得るその他の好適な形態を含むが、これらに限定されない。このような組成物を、洗濯前処理剤、洗濯後処理剤として使用してもよい、又は洗濯操作のすすぎ若しくは洗浄周期中に加えてもよい。
【００１８】
別途記載のない限り、全ての成分又は組成物の濃度は、当該成分又は組成物の活性部分に関するものであり、かかる成分又は組成物の市販の供給源に存在し得る不純物、例えば残留溶媒又は副生成物は除外される。
【００１９】
本明細書における全ての温度は、別途記載のない限り、摂氏（℃）である。別途指示のない限り、本明細書における全ての測定は、２０℃及び大気圧下で行われる。
【００２０】
本開示の全ての実施形態において、全ての比率（％）は、特に記載のない限り、全組成物の重量に対するものである。特に記載のない限り、全ての比は重量比である。
【００２１】
本明細書の全体をとおして与えられる全ての最大数値限定は、それよりも小さい全ての数値限定を、かかるより小さい数値限定があたかも本明細書に明確に記載されているかのように含むものと理解すべきである。本明細書の全体をとおして与えられる全ての最小数値限定は、それよりも高い全ての数値限定を、かかるより高い数値限定があたかも本明細書に明確に記載されているかのように含む。本明細書の全体をとおして与えられる全ての数値範囲は、かかるより広い数値範囲内に含まれるより狭い全ての数値範囲を、かかるより狭い数値範囲があたかも全て本明細書に明確に記載されているかのように含む。
【００２２】
シロキサンポリマー
本開示は、シロキサンポリマーに関し、特にペンダント基を有する官能化シロキサンポリマーに関する。ペンダント基は、エステル結合などの開裂可能な結合を含む部分（例えば、以下で「Ｘ」部分として記載される）を含んでもよい。開裂可能な結合が存在することにより、ポリマーの分解が促進されると考えられる。
【００２３】
開裂可能な結合は、ペンダントの一部分のみがシロキサン主鎖から除去可能であるような位置で、シロキサンポリマーのペンダント上に配置され得ることが理解される。例えば、加水分解後、１つ以上のリンカー基（又は少なくともリンカー基として機能する部分、加水分解前）、又はその一部は、ペンダント様の配向で残存し得る。
【００２４】
シロキサンポリマーは、式（Ｉ）の構造（及び／又は式（Ｉ）による実験式）を有する１つ以上の繰り返し単位を含んでもよく、
【００２５】
【化２】
2021520437.tif 000004
式中、
ａ）各Ｌは、連結二価アルキレンラジカルであり、好ましくは、各Ｌは、独立して、
【００２６】
【化３】
2021520437.tif 000005
−（ＣＨ２）ｓ−、−（Ｈ２Ｃ）ｓＯＣ６Ｈ４−、及びこれらの組み合わせからなる群から選択され、より好ましくは、少なくとも１つのＬは、−（ＣＨ２）ｓ−又は−（Ｈ２Ｃ）ｓＯＣ６Ｈ４−であり、更により好ましくは、少なくとも１つのＬは、−（ＣＨ２）ｓ−であり、
式中、
各Ｒ２は、独立して、Ｈ、Ｃ１〜Ｃ４アルキル、置換アルキル、アリール、置換アリール、及びこれらの組み合わせ、好ましくはＨ又はＣ１〜Ｃ４アルキル、最も好ましくはＨ又はメチルからなる群から選択され、
各ｓは、独立して、１〜約２０の整数であり、好ましくは、各ｓは、独立して、２〜約１２の整数であり、
各ｙは、独立して、１〜約１００の整数であり、好ましくは、各ｙは、独立して、１〜約２０の整数であり、より好ましくは、ｙは、独立して、１〜約１０の整数であり、
ｂ）各Ｘは、独立して、グループＩ（非エステル）部分又はグループＩＩ（エステル）部分からなる群から選択され、グループＩ及びグループＩＩは以下のように定義され：
（ｉ）グループＩ（非エステル）部分は、
【００２７】
【化４】
2021520437.tif 000006
からなる群から選択され、
式中、各Ｒ４部分は、独立して、Ｈ、Ｃ１〜Ｃ３２アルキル、Ｃ１〜Ｃ３２置換アルキル、Ｃ６〜Ｃ３２アリール、Ｃ５〜Ｃ３２置換アリール、Ｃ６〜Ｃ３２アルキルアリール、Ｃ６〜Ｃ３２置換アルキルアリールからなる群から選択され、式中、Ｚは以下のように定義され、
好ましくは、各Ｘは、独立して、
【００２８】
【化５】
2021520437.tif 000007
からなる群から選択され、
より好ましくは、各Ｘは、独立して、
【００２９】
【化６】
2021520437.tif 000008
からなる群から選択され、
式中、各添え字ｍは、１又は０であり、但し、Ｘが酸素であるとき、添え字ｍは０であり、
（ｉｉ）グループＩＩ（エステル）部分は、
【００３０】
【化７】
2021520437.tif 000009
からなる群から選択され、
式中、Ｅは電子求引基であり、好ましくは、Ｅは、Ｎ、Ｏ、Ｓ、アリール部分、及びアルケン部分からなる群から選択され、より好ましくは、ＥはＮであり、
各Ｒ４部分は、独立して、Ｈ、Ｃ１〜Ｃ３２アルキル、Ｃ１〜Ｃ３２置換アルキル、Ｃ６〜Ｃ３２アリール、Ｃ５〜Ｃ３２置換アリール、Ｃ６〜Ｃ３２アルキルアリール、及びＣ６〜Ｃ３２置換アルキルアリールからなる群から選択され、
各Ｚは、独立して、Ｃ１〜Ｃ３２アルキレン、Ｃ１〜Ｃ３２置換アルキレン、Ｃ６〜Ｃ３２アリール、Ｃ５〜Ｃ３２置換アリール、Ｃ６〜Ｃ３２アルキレンアリール、及びＣ５〜Ｃ３２置換アルキレンアリールからなる群から選択され、好ましくは、Ｚは、Ｃ１〜Ｃ３２アルキレン又はＣ１〜Ｃ３２置換アルキレンであり、最も好ましくは、Ｚは、Ｃ１〜Ｃ４アルキレン又はＣ１〜Ｃ４置換アルキレンであり、
追加的に又は代替的に、各Ｚは、独立して、
【００３１】
【化８】
2021520437.tif 000010
からなる群から選択されてもよく、
添え字ｊは、１〜３２の整数であり、好ましくは、ｊは、１〜１０の整数であり、より好ましくは、ｊは、２〜８の整数であり、最も好ましくは、ｊは、２〜４の整数であり、
各添え字ｍは１であり、
ｃ）各Ｒ１は、独立して、Ｈ、ＯＨ、Ｃ１〜Ｃ３２アルキル、Ｃ１〜Ｃ３２置換アルキル、Ｃ６〜Ｃ３２アリール、Ｃ５〜Ｃ３２置換アリール、Ｃ６〜Ｃ３２アルキルアリール、Ｃ６〜Ｃ３２置換アルキルアリール、Ｃ１〜Ｃ３２アルコキシ、及びＣ１〜Ｃ３２置換アルコキシからなる群から選択され、好ましくは、各Ｒ１は、独立して、Ｈ、ＯＨ、Ｃ１〜Ｃ１６アルキル、Ｃ１〜Ｃ４アルコキシ、ベンジル部分、及びフェニルプロピル部分からなる群から選択され、より好ましくは、各Ｒ１は、独立して、Ｈ、ＯＨ、Ｃ１アルキル、及びＣ１アルコキシからなる群から選択され、
ｄ）各Ｙは、独立して、Ｈ、ＯＨ、Ｃ１〜Ｃ３２アルキル、Ｃ１〜Ｃ３２置換アルキル、Ｃ６〜Ｃ３２アリール、Ｃ５〜Ｃ３２置換アリール、Ｃ６〜Ｃ３２アルキルアリール、及びＣ６〜Ｃ３２置換アルキルアリールからなる群から選択され、好ましくは、Ｙは、アミノ部分、ヒドロキシ部分、チオール部分、カルボキシ部分、及び四級アンモニウム部分を含み、より好ましくは、Ｙは、アミノ部分又は四級アンモニウム部分を含む。
ｅ）添え字ｐは、約２〜約１０００の整数であり、好ましくは、ｐは、約１０〜約５００の整数であり、より好ましくは、ｐは、約２０〜約２００の整数であり、
ｆ）添え字ｏは、約１〜約５００の整数であり、好ましくは、ｏは、約１〜約５０の整数であり、より好ましくは、ｏは、約１〜約２０の整数である。
【００３２】
明確にするために、繰り返し単位の「−Ｌｍ−Ｘ−Ｌ−Ｙ」部分は、シロキサンポリマーのペンダント部分である。本開示のシロキサンポリマーは、繰り返し単位がランダム又はブロック状の配向、好ましくはランダムに存在する構造を有し得ることも理解される。
【００３３】
シロキサンポリマーのペンダント部分は、２つ以上の開裂可能な結合を有してもよい。例えば、ペンダント部分は、２つ以上のＸ部分を含み得る。ペンダント部分は、以下の一般式を有することができる：
−Ｌｍ−Ｘ１−（Ｒ３−Ｘ２）ｑ−Ｌ−Ｙ
式中、Ｌ部分、Ｙ部分、及びｍ添え字は、本明細書で定義されるとおりであり、式中、Ｘ１及びＸ２は、独立して、本明細書に記載のＸ部分、例えば、グループＩ（非エステル）部分及び／又はグループＩＩ（エステル）部分から選択され、式中、添え字ｑは１又はゼロ、好ましくはペンダントに２つ以上切断可能な結合がある場合は１であり、各Ｒ３は、独立して、Ｃ１〜Ｃ３２アルキレン、Ｃ１〜Ｃ３２置換アルキレン、Ｃ６〜Ｃ３２アリール、Ｃ５〜Ｃ３２置換アリール、Ｃ６〜Ｃ３２アルキレンアリール、及びＣ５〜Ｃ３２置換アルキレンアリールからなる群から選択され、Ｒ３部分が２個以上の炭素原子を含む場合、当該Ｒ３部分は、Ｎ、Ｏ、及びＳ、並びにこれらの組み合わせからなる群から選択されるヘテロ原子によって任意選択でしかし優先的に分断されてもよく、好ましくは、Ｒ３部分は、Ｎによって分断され、より好ましくは、Ｒ３は、Ｎによって分断されているＣ４〜Ｃ１２アルキレンである。
【００３４】
本開示によるシロキサンポリマーは、以下の一般構造／実験式を有してもよく、
【００３５】
【化９】
2021520437.tif 000011
式中、
ａ）各Ｌは、連結二価アルキレンラジカルであり、好ましくは、Ｌは−（ＣＨ２）ｓ−及び
【００３６】
【化１０】
2021520437.tif 000012
から選択され、より好ましくは、Ｌは−（ＣＨ２）ｓ−であり、
各ｓは、独立して、１〜約２０の整数であり、好ましくは、各ｓは、独立して、２〜約１２の整数であり、
ｂ）各Ｘは、独立して、
（ｉ）
【００３７】
【化１１】
2021520437.tif 000013
のグループＩ（非エステル）部分であって、
式中、各Ｒ４部分は、独立して、Ｈ、Ｃ１〜Ｃ３２アルキル、Ｃ１〜Ｃ３２置換アルキル、Ｃ６〜Ｃ３２アリール、Ｃ５〜Ｃ３２置換アリール、Ｃ６〜Ｃ３２アルキルアリール、Ｃ６〜Ｃ３２置換アルキルアリールからなる群から選択され、
式中、各添え字ｍは１又はゼロであり、但し、Ｘが酸素であるとき、添え字ｍは０である、グループＩ（非エステル）部分、及び／又は
（ｉｉ）
【００３８】
【化１２】
2021520437.tif 000014
のグループＩＩ（エステル）部分であって、
式中、各Ｒ４部分は、独立して、Ｈ、Ｃ１〜Ｃ３２アルキル、Ｃ１〜Ｃ３２置換アルキル、Ｃ６〜Ｃ３２アリール、Ｃ５〜Ｃ３２置換アリール、Ｃ６〜Ｃ３２アルキルアリール、Ｃ６〜Ｃ３２置換アルキルアリールからなる群から選択され、
式中、各添え字ｍは１である、グループＩＩ（エステル）部分、からなる群から選択され、
ｃ）各Ｒ１はメチルであり、
ｄ）各Ｙは、独立して、Ｃ１〜Ｃ３２置換アルキル、Ｃ５〜Ｃ３２置換アリール、Ｃ６〜Ｃ３２置換アルキルアリールからなる群から選択され、置換は、もしあれば、アミノ部分又は四級アンモニウム部分であり、
ｅ）添え字ｐは、約１０〜約５００の整数であり、
ｆ）添え字ｏは、約１〜約２０の整数であり、
ｇ）各Ｍは、
【００３９】
【化１３】
2021520437.tif 000015
であり、式中、各Ｒ１は、独立して、上記のような群から選択される。
【００４０】
上記構造によるシロキサンポリマーにおいて、各Ｘは、独立して、以下のグループＩ（非エステル）部分：
【００４１】
【化１４】
2021520437.tif 000016
のうちの１つから選択されてもよく、
式中、各Ｒ４部分は、独立して、Ｈ、Ｃ１〜Ｃ３２アルキル、Ｃ１〜Ｃ３２置換アルキル、Ｃ６〜Ｃ３２アリール、Ｃ５〜Ｃ３２置換アリール、Ｃ６〜Ｃ３２アルキルアリール、Ｃ６〜Ｃ３２置換アルキルアリールからなる群から選択される。
【００４２】
エステルベースの結合が容易に開裂可能であるため、ＸはグループＩＩ（エステル）部分であることが好ましい場合がある。上記構造によるシロキサンポリマーにおいて、各Ｘは独立して、以下のグループＩＩ（エステル）部分：
【００４３】
【化１５】
2021520437.tif 000017
のうちの１つから選択されてもよく、
式中、各Ｒ４部分は、独立して、Ｈ、Ｃ１〜Ｃ３２アルキル、Ｃ１〜Ｃ３２置換アルキル、Ｃ６〜Ｃ３２アリール、Ｃ５〜Ｃ３２置換アリール、Ｃ６〜Ｃ３２アルキルアリール、Ｃ６〜Ｃ３２置換アルキルアリールからなる群から選択される。上記の群から選択されるＸを有するシロキサンポリマーは、比較的容易に生分解すると考えられる。
【００４４】
上記構造によるシロキサンポリマーにおいて、各Ｘは、
【００４５】
【化１６】
2021520437.tif 000018
であり得る。
【００４６】
上記構造によるシロキサンポリマーにおいて、Ｙ基は、アミノ部分又は四級アンモニウム部分を含み得る。このような部分により、多くの消費者製品におけるシロキサンポリマーの性能が改善されると考えられる。
【００４７】
本開示によるポリマーを作製するための例示的な合成プロセスは、合成例として以下に提供される。
【００４８】
組成物
本開示は、上述のシロキサンポリマーを含む組成物に関する。組成物は、当該組成物の約０．２重量％〜約１０重量％、好ましくは約０．５重量％〜約５重量％のシロキサンポリマーを含み得る。組成物は、シロキサンポリマー及び担体を含み得る。本開示の組成物は、以下に提供されるような合成例１〜１３のいずれかに記載の、好ましくは合成例７〜１３のいずれかに記載のシロキサンポリマーを含み得る。
【００４９】
組成物は、消費者製品であり得る。組成物は、洗浄及び／又はトリートメント組成物であり得る。組成物は、布地ケア組成物であり得る。組成物は、好ましくは液体形態の、布地柔軟化組成物、布地強化組成物、布地消臭組成物、又はこれらの組み合わせであり得る。
【００５０】
組成物は、任意の好適な形態を有し得る。組成物は、液体、粉末、単相若しくは多相の単位用量物品若しくはパウチ（１つ以上の区画を有し得る）、フィルム、織布ウェブ、不織布ウェブ、溶解性ビーズ若しくはパステル、ゲル、ペースト、バー、又はフレークから選択される形態を有し得る。組成物は、液体布地強化剤などの液体組成物、又は洗濯粉末若しくは溶解性パステルなどの固体組成物であり得る。洗浄組成物は、水溶性フィルムにカプセル化された液体、ゲル、ペースト、粉末、パステル、又はこれらの混合物を含有し得る単位用量物品の形態であり得る。シロキサンポリマーは、例えば、顆粒、パステル、タブレット、又はパウチの外面上におけるコーティングの一部であり得る。組成物は、溶解性ビーズ又はパステルの形態のような固体形態であってもよく、これは、組成物の約６０重量％〜約９８重量％の、５，０００〜１１，０００Ｄａの分子量を有するポリエチレングリコールと、約０．１重量％〜約１０重量％の、本開示によるシロキサンポリマーと、組成物の約２重量％〜約１２重量％の遊離香料と、任意選択で、約２重量％〜約１２重量％の、カプセル化香料を含む香料マイクロカプセルと、を含み得る。
【００５１】
組成物が液体又はゲル組成物である場合、組成物は、シロキサンポリマーが十分に安定（例えば、最小限の加水分解）である任意のｐＨを有し得る。例えば、組成物は、約２〜約４の未希釈ｐＨ、好ましくは約２〜約３．７のｐＨ、より好ましくは約２〜約３．５のｐＨ、好ましくは水性液体の形態を有し得る。このようなｐＨレベルにより、シロキサンポリマーの安定性が促進されると考えられる。
【００５２】
組成物は、担体を含み得る。好適な担体としては、液体担体又は固体担体を挙げることができる。好適な担体としては、水、非水性溶媒、塩、又はこれらの組み合わせを挙げることができる。
【００５３】
非水性溶媒としては、メタノール、エタノール、プロパノール、イソプロパノール、１，３−プロパンジオール、１，２−プロパンジオール、エチレングリコール、グリセリン、グリコールエーテル、炭化水素、又はこれらの混合物などの有機溶媒を挙げることができる。他の非水性溶媒としては、シロキサン又は他のシリコーンなどの親油性流体、炭化水素、全フッ素化アミン、全フッ素化及びハイドロフルオロエーテル溶媒、又はこれらの混合物を挙げることができる。また、モノエタノールアミン、ジエタノールアミン、及びトリエタノールアミンなどのアミン含有溶剤が使用されてもよい。
【００５４】
担体は、水溶性担体であり得る。このような担体としては、水溶性無機アルカリ金属塩、水溶性アルカリ土類金属塩、水溶性有機アルカリ金属塩、水溶性有機アルカリ土類金属塩、水溶性炭水化物、水溶性ケイ酸塩、水溶性尿素、及びこれらの任意の組み合わせを挙げることができる。ポリエチレングリコールなどのポリアルキレングリコールは、好適な担体であり得る。
【００５５】
本開示の組成物は、追加の補助成分を含み得る。補助成分及びその濃度は、所望の形態及び意図される処理効果に従って選択され得る。例えば、組成物は、界面活性剤、色ケアポリマー、付着助剤、界面活性剤増強ポリマー、ｐＨ調整剤、製品色安定剤、防腐剤、溶媒、ビルダー、キレート剤、移染防止剤、分散剤、酵素及び酵素安定剤、触媒材料、漂白剤、漂白活性剤、ポリマー分散剤、粘土汚れ除去／再付着防止剤、増白剤、抑泡剤、染料、紫外線吸収剤、香料（例えば、未希釈及び／又はカプセル化）、追加の香料送達系、構造弾性化剤、増粘剤／構造剤、布地柔軟剤、担体、ヒドロトロープ、オリゴアミン、加工助剤、色相剤、顔料、並びにこれらの混合物からなる群から選択される補助剤を含み得る。
【００５６】
組成物は、界面活性剤を含み得、好ましくは、当該界面活性剤は、アニオン性界面活性剤、非イオン性界面活性剤、カチオン性界面活性剤、両性界面活性剤、及びこれらの混合物からなる群から選択され、より好ましくは、当該界面活性剤は、直鎖状又は分枝状アルキルベンゼンスルホネート、アルキルサルフェート、アルキルエトキシサルフェート、アルキルエトキシレート、アルキルグリセリルスルホネート、四級アンモニウム界面活性剤、及びこれらの混合物からなる群から選択され、好ましくは、当該四級アンモニウム界面活性剤は、エステル四級アンモニウム化合物であり、これは、布地柔軟化活性物質として作用し得る。
【００５７】
組成物は、布地柔軟化活性物質（「ＦＳＡ」）を含んでもよい。好適な布地柔軟化活性物質としては、エステル四級アンモニウム化合物、非エステル四級アンモニウム化合物、アミン、脂肪酸エステル、スクロースエステル、シリコーン（上記シロキサンポリマー以外）、分散性ポリオレフィン、多糖類、脂肪酸、軟化油、ポリマーラテックス、又はこれらの組み合わせを挙げることができる。本組成物は、好ましくはエステル四級アンモニウム化合物を含んでもよい。
【００５８】
組成物は、組成物の総重量に基づいて、約３重量％〜約２５重量％、好ましくは約４重量％〜約２０重量％、より好ましくは約５重量％〜約１５重量％、最も好ましくは約７重量％〜約１２重量％のエステル四級アンモニウム化合物を、特に組成物が液体布地強化剤又は柔軟剤組成物などの液体である場合に含み得る。本発明の組成物は、０．０１％〜１０％、好ましくは、０．１％〜１０％、より好ましくは、０．１％〜５％の追加の布地柔軟化活性物質を更に含み得る。エステル四級アンモニウム化合物の濃度は、本組成物（希釈又は濃縮組成物）中の全柔軟化活性物質の所望の濃度、及び他の柔軟化活性物質の有無に依存し得る。
【００５９】
本明細書で使用される場合、エステル四級アンモニウム化合物という用語は、四級アンモニウムエステル柔軟化活性物質と同義である。好適な四級アンモニウムエステル柔軟化活性物質としては、モノエステルクワット、ジエステルクワット、及びトリエステルクワット、並びにこれらの混合物からなる群から選択される材料が挙げられるが、これらに限定されない。好ましくは、全四級アンモニウムエステル柔軟化活性物質の重量を基準として、モノエステルクワットの濃度は、２．０重量％〜４０．０重量％であり、ジエステルクワットの濃度は、４０．０重量％〜９８．０重量％であり、及び／又はトリエステルクワットの濃度は、０．０重量％〜２５．０重量％である。好ましくは、第四級アンモニウム布地柔軟化活性物質を形成する親脂肪酸のヨウ素価は、０〜１００、好ましくは、１０〜６０、より好ましくは、１５〜４５である。
【００６０】
四級アンモニウムエステル柔軟化活性物質は、以下の式の化合物を含み得る：
｛Ｒ２（４−ｍ）−Ｎ＋−［Ｘ−Ｙ−Ｒ１］ｍ｝Ａ−
式中、ｍは、１、２、又は３であるが、但し、各ｍの値は、同一であり、各Ｒ１は独立して、ヒドロカルビル基又は分岐鎖状ヒドロカルビル基であり、好ましくは、Ｒ１は、直鎖状であり、より好ましくは、Ｒ１は、部分不飽和直鎖状アルキル鎖であり、各Ｒ２は、独立して、Ｃ１〜Ｃ３アルキル基又はヒドロキシアルキル基であり、好ましくは、Ｒ２は、メチル、エチル、プロピル、ヒドロキシエチル、２−ヒドロキシプロピル、１−メチル−２−ヒドロキシエチル、ポリ（Ｃ２〜３−アルコキシ）、ポリエトキシ、ベンジルから選択され、各Ｘは独立して、（ＣＨ２）ｎ、ＣＨ２−ＣＨ（ＣＨ３）−又はＣＨ−（ＣＨ３）−ＣＨ２−であり、各ｎは独立して１、２、３又は４であり、好ましくは、各ｎは２であり、各Ｙは、独立して、−Ｏ−（Ｏ）Ｃ−又は−Ｃ（Ｏ）−Ｏ−であり、Ａ−は独立して、塩化物、硫酸メチル、及び硫酸エチルからなる群から選択され、好ましくは、Ａ−は、塩化物及びメチル硫酸からなる群から選択され、但し、Ｙが−Ｏ−（Ｏ）Ｃ−であるときには、各Ｒ１における炭素の合計は、１３〜２１、好ましくは、１３〜１９である。
【００６１】
好適な四級アンモニウムエステル柔軟化活性物質の例としては、ＫＡＯ  Ｃｈｅｍｉｃａｌｓから商品名Ｔｅｔｒａｎｙｌ  ＡＴ−１及びＴｅｔｒａｎｙｌ  ＡＴ−７５９０で；Ｅｖｏｎｉｋから商品名Ｒｅｗｏｑｕａｔ  ＷＥ１６  ＤＰＧ、Ｒｅｗｏｑｕａｔ  ＷＥ１８、Ｒｅｗｏｑｕａｔ  ＷＥ２０、Ｒｅｗｏｑｕａｔ  ＷＥ２８、及びＲｅｗｏｑｕａｔ  ３８  ＤＰＧで；Ｓｔｅｐａｎから商品名Ｓｔｅｐａｎｔｅｘ  ＧＡ９０、Ｓｔｅｐａｎｔｅｘ  ＶＲ９０、Ｓｔｅｐａｎｔｅｘ  ＶＫ９０、Ｓｔｅｐａｎｔｅｘ  ＶＡ９０、Ｓｔｅｐａｎｔｅｘ  ＤＣ９０、及びＳｔｅｐａｎｔｅｘ  ＶＬ９０Ａで市販されているものがある。
【００６２】
組成物は、香料を含み得る。香料は、未希釈香料、カプセル化香料、又はこれらの混合物であり得る。組成物は、香料送達系を更に含んでもよい。カプセル化香料は、香料を壁材料で少なくとも部分的に囲むことによって形成することができる。カプセル壁材料は、メラミン、ポリアクリルアミド、シリコーン、シリカ、ポリスチレン、ポリ尿素、ポリウレタン、ポリアクリレート系材料、ポリアクリル酸エステル系材料、ゼラチン、スチレンリンゴ酸無水物、ポリアミド、芳香族アルコール、ポリビニルアルコール、及びこれらの混合物を含み得る。メラミン壁材料には、ホルムアルデヒドで架橋されたメラミン、ホルムアルデヒドで架橋されたメラミン−ジメトキシエタノール、及びそれらの混合物が含まれ得る。ポリアクリレート系壁材料には、メチルメタクリレート／ジメチルアミノメチルメタクリレートから形成されるポリアクリレート、アミンアクリレート及び／又はメタクリレート並びに強酸から形成されるポリアクリレート、カルボン酸アクリレート及び／又はメタクリレートモノマー並びに強塩基から形成されるポリアクリレート、アミンアクリレート及び／又はメタクリレートモノマー並びにカルボン酸アクリレート及び／又はカルボン酸メタクリレートモノマーから形成されるポリアクリレート、並びにそれらの混合物が含まれ得る。
【００６３】
香料カプセルは、付着助剤、カチオン性ポリマー、非イオン性ポリマー、アニオン性ポリマー、又はこれらの混合物でコーティングされてもよい。好適なポリマーは、ポリビニルホルムアルデヒド、部分ヒドロキシル化ポリビニルホルムアルデヒド、ポリビニルアミン、ポリエチレンイミン、エトキシル化ポリエチレンイミン、ポリビニルアルコール、ポリアクリレート、及びこれらの組み合わせからなる群から選択され得る。一態様では、１つ以上のタイプのマイクロカプセル、例えば、２つのタイプのマイクロカプセルであって、第１又は第２のマイクロカプセルのうちの一方が、（ａ）他方とは異なる壁材料からなる壁を有するか、（ｂ）他方とは異なる量の壁材料若しくはモノマーを含む壁を有するか、又は（ｃ）他方とは異なる量の香油成分を含有する；又は（ｄ）異なる香油を含有する、マイクロカプセルを使用してもよい。
【００６４】
香料送達技術は、アミン化合物（ＡＲＰ）又はチオ化合物を含んでもよい。アミン及び／又はチオ官能基が、１つ以上の香料原材料（ＰＲＭ）と予反応して、化合物を形成する、「反応性」のポリマー性アミン及び／又はポリマー性チオを使用することもできる。典型的には、反応性アミンは、一級及び／又は二級アミンであり、ポリマーの一部であってもモノマー（非ポリマー）であってもよい。また、このようなＡＲＰを追加のＰＲＭと混合して、ポリマー支援型送達及び／又はアミン支援型送達の効果を提供することもできる。ポリマー性アミンの非限定的な例としては、ポリエチレンイミン（ＰＥＩ）などのポリアルキルイミン、又はポリビニルアミン（ＰＶＡｍ）に基づくポリマーが挙げられる。モノマー（非ポリマー）アミンの非限定的な例としては、ヒドロキシルアミン、例えば、２−アミノエタノール及びそのアルキル置換誘導体、並びに芳香族アミン、例えば、アントラニレートが挙げられる。ＡＲＰは、香料と予混合しておいてもよく、リーブオン用途又はリンスオフ用途では別個に添加してもよい。窒素及び／又は硫黄以外のヘテロ原子（例えば、酸素、リン又はセレンなど）を含有する材料を、アミン化合物の代替として使用してもよい。単一の分子が、アミン部分と、代替ヘテロ原子部分（例えば、チオール、ホスフィン、及びセレノール）のうちの１つ以上とを含んでもよい。その効果としては、香料の送達の改善に加えて、香料の徐放を挙げることができる。
【００６５】
組成物は、付着助剤を含んでもよい。付着助剤は、カチオン性ポリマー、好ましくは約０．２ｍｅｑ／ｇ〜約２０ｍｅｑ／ｇの正味カチオン電荷密度を有するカチオン性ポリマーを含んでもよい。
【００６６】
消費者製品などの組成物は、従来のプロセスに従って作製することができる。例えば、消費者製品などの組成物は、本開示によるシロキサンポリマーを担体と、任意選択で補助成分とも組み合わせることによって作製され得る。このようなプロセスは、バッチプロセス、連続ループプロセス、及び／又はインライン混合プロセスであり得る。
【００６７】
方法
本開示は、上記のポリマー及び組成物を使用する方法に関する。
【００６８】
本明細書に開示されるシリコーン化合物を含む組成物は、布地などの表面を洗浄又は処理するために使用することができる。典型的には、この表面の少なくとも一部を、未希釈の形態の又は液体（例えば、洗浄液）で希釈されたシロキサンポリマー又は本開示の組成物と接触させ、次に、その表面を任意選択で洗浄及び／又はすすいでもよい。一態様では、表面を、任意選択で洗浄及び／又はすすぎ、本開示によるシロキサンポリマー又は組成物と接触させ、次いで任意選択で洗浄及び／又はすすぐ。本発明の目的に関して、洗浄は、こすり洗い及び機械的撹拌を含むが、これらに限定されない。布地は、標準的な消費者の使用条件で洗濯又は処理することが可能な、ほとんどいずれの布地を含んでもよい。
【００６９】
例えば、本開示は、布地などの表面を処理する方法に関し、この方法は、本明細書に記載されるシロキサンポリマー又は組成物、好ましくは組成物、より好ましくは布地処理組成物、更により好ましくは液体布地強化剤と接触させる工程を含む。接触工程の少なくとも一部は、好ましくは水の存在下、好ましくは自動洗濯機において、より好ましくは自動洗濯機のすすぎサイクル中に起こり得る。
【００７０】
開示される組成物を含み得る処理液は、約３〜約１１．５、又は更には約５．０〜約１０のｐＨを有し得る。処理液は、消費者製品組成物のｐＨよりも高いｐＨを有し得る。例えば、消費者製品組成物は、約２〜約４のｐＨを有する液体組成物、好ましくは液体布地強化組成物であり得るが、本開示による消費者製品組成物を水で希釈することによって形成され得る処理液は、約５．０〜約１０のｐＨを有し得る。消費者製品組成物のｐＨを比較的低く保つことによって、シロキサンポリマーの安定性が改善されると考えられる。処理液のｐＨを比較的高くすることにより、溶液が処理容器から排出されるときに運ばれる未付着のシロキサンポリマーは、ペンダント内の開裂可能な結合部で加水分解され、それによってより環境に優しい形態に分解する可能性が高いと考えられる。
【００７１】
開示された組成物組成物は、典型的には、溶液中約５００ｐｐｍ〜約１５，０００ｐｐｍの濃度で用いられる。洗浄溶媒が水である場合、水温は、典型的には約５℃〜約９０℃の範囲である。表面が布地を含む場合、水の布地に対する重量比は典型的には約１：１〜約３０：１である。
【００７２】
例えば、本開示は、表面を処理する方法に関し、この方法は、表面を本明細書に記載のシロキサンポリマー又は組成物と接触させる工程を含む。接触工程の少なくとも一部は、好ましくは水の存在下、好ましくは自動洗濯機において、より好ましくは自動洗濯機のすすぎサイクル中に起こり得る。
【実施例】
【００７３】
以下に提供される実施例は、事実上例示を意図するものであり、限定することを意図するものではない。
【００７４】
合成例
合成例１〜１３は、本開示によるシロキサンポリマーを作製する例示的な実施例であり、ポリマーはペンダント基中に開裂可能な結合を有する。合成例１〜６では、ペンダント基のＸ部分は、本明細書に記載されるように、グループＩ（非エステル）部分である。合成例７〜１３では、ペンダント基のＸ部分は、グループＩＩ（エステル）部分である。図１は、以下の合成例に従って合成されたシロキサンポリマーの構造を示す表である。
【００７５】
合成例１．シリルエーテル官能化ポリジメチルシロキサンを、以下のように生成する。
メチルヒドロシロキサン−ジメチルシロキサンコポリマー、ＨＭＳ−１５１（２５．００ｇ；粘度２５〜３５ｃＰ；１９００〜２０００ＭＷ；４９０ｇ／モルのメチルヒドロシロキサン官能基ＭＷ；Ｇｅｌｅｓｔ，Ｉｎｃ．（Ｍｏｒｒｉｓｖｉｌｌｅ，ＰＡ）から入手可能）を、ゲラニオール（９．２１ｇ；ＭｉｌｌｉｐｏｒｅＳｉｇｍａ（Ｓｔ．Ｌｏｕｉｓ，ＭＯ）から入手可能）、及び２−プロパノール中の１％塩化白金酸（６０マイクロリットル；ＭｉｌｌｉｐｏｒｅＳｉｇｍａ（Ｓｔ．Ｌｏｕｉｓ，ＭＯ）から入手可能）と合わせる。この混合物を、８０℃で１６時間、撹拌及び窒素スイープを行いながら加熱する。
【００７６】
合成例２．シリルエーテル官能化ポリジメチルシロキサンを、以下のように生成する。
メチルヒドロシロキサン−ジメチルシロキサンコポリマー、ＨＭＳ−１５１（２５．００ｇ；粘度２５〜３５ｃＰ；１９００〜２０００ＭＷ；４９０ｇ／モルのメチルヒドロシロキサン官能基ＭＷ；Ｇｅｌｅｓｔ，Ｉｎｃ．（Ｍｏｒｒｉｓｖｉｌｌｅ，ＰＡ）から入手可能）を、ゲラニオール（６．３７ｇ；ＭｉｌｌｉｐｏｒｅＳｉｇｍａ（Ｓｔ．Ｌｏｕｉｓ，ＭＯ）から入手可能）、エタノールアミン（６．３７ｇ；ＭｉｌｌｉｐｏｒｅＳｉｇｍａ（Ｓｔ．Ｌｏｕｉｓ，ＭＯ）から入手可能）、及び２−プロパノール中の１％塩化白金酸（６０マイクロリットル；ＭｉｌｌｉｐｏｒｅＳｉｇｍａ（Ｓｔ．Ｌｏｕｉｓ，ＭＯ）から入手可能）と合わせる。この混合物を、８０℃で１６時間、撹拌及び窒素スイープを行いながら加熱する。
【００７７】
合成例３．シリルエーテル官能化ポリジメチルシロキサンを、以下のように生成する。
メチルヒドロシロキサン−ジメチルシロキサンコポリマー、ＨＭＳ−１５１（２５．００ｇ；粘度２５〜３５ｃＰ；１９００〜２０００ＭＷ；４９０ｇ／モルのメチルヒドロシロキサン官能基ＭＷ；Ｇｅｌｅｓｔ，Ｉｎｃ．（Ｍｏｒｒｉｓｖｉｌｌｅ，ＰＡ）から入手可能）をエタノールアミン（３．４３ｇ；ＭｉｌｌｉｐｏｒｅＳｉｇｍａ（Ｓｔ．Ｌｏｕｉｓ，ＭＯ）から入手可能）、及び２−プロパノール中の１％塩化白金酸（６０マイクロリットル；ＭｉｌｌｉｐｏｒｅＳｉｇｍａ（Ｓｔ．Ｌｏｕｉｓ，ＭＯ）から入手可能）と合わせる。この混合物を、８０℃で１６時間、撹拌及び窒素スイープを行いながら加熱する。
【００７８】
合成例４．イミン官能化ポリジメチルシロキサンを、以下のように生成する。
メチルヒドロシロキサン−ジメチルシロキサンコポリマー、ＨＭＳ−１５１（２５．００ｇ；粘度２５〜３５ｃＰ；１９００〜２０００ＭＷ；４９０ｇ／モルのメチルヒドロシロキサン官能基ＭＷ；Ｇｅｌｅｓｔ，Ｉｎｃ．，Ｍｏｒｒｉｓｖｉｌｌｅ，ＰＡから入手可能）を、４−アリルオキシベンズアルデヒド（８．６９ｇ；Ｓｉｇｍａ−Ａｌｄｒｉｃｈ（Ｓｔ．Ｌｏｕｉｓ，ＭＯ）から入手可能）と合わせ、この混合物を撹拌しながら７０℃まで加熱する。キシレン中の白金（０）−１，３−ジビニル−１，１，３，３−テトラメチルジシロキサン錯体溶液（Ｐｔ約２％）（０．１４ｇ、Ｓｉｇｍａ−Ａｌｄｒｉｃｈ（Ｓｔ．Ｌｏｕｉｓ，ＭＯ）から入手可能）を滴下し、この混合物を１１０℃で２．５時間加熱する。混合物を周囲に冷却し、エチレンジアミン（７．６７ｇ、Ｓｉｇｍａ−Ａｌｄｒｉｃｈ（Ｓｔ．Ｌｏｕｉｓ，ＭＯ）から入手可能）を添加する。この混合物を、８０℃で６時間、撹拌及び窒素スイープを行いながら加熱する。過剰なエチレンジアミンを、減圧下で回転蒸発によって除去し、粘性の液体を得る。
【００７９】
合成例５．イミン官能化ポリジメチルシロキサンを、以下のように生成する。
メチルヒドロシロキサン−ジメチルシロキサンコポリマー、ＨＭＳ−１５１（２５．００ｇ；粘度２５〜３５ｃＰ；１９００〜２０００ＭＷ；４９０ｇ／モルのメチルヒドロシロキサン官能基ＭＷ；Ｇｅｌｅｓｔ，Ｉｎｃ．，Ｍｏｒｒｉｓｖｉｌｌｅ，ＰＡから入手可能）を、４−アリルオキシベンズアルデヒド（８．６９ｇ；Ｓｉｇｍａ−Ａｌｄｒｉｃｈ（Ｓｔ．Ｌｏｕｉｓ，ＭＯ）から入手可能）と合わせ、この混合物を撹拌しながら７０℃まで加熱する。キシレン中の白金（０）−１，３−ジビニル−１，１，３，３−テトラメチルジシロキサン錯体溶液（Ｐｔ約２％）（０．１４ｇ；Ｓｉｇｍａ−Ａｌｄｒｉｃｈ（Ｓｔ．Ｌｏｕｉｓ，ＭＯ）から入手可能）を滴下し、この混合物を１１０℃で２．５時間加熱する。混合物を周囲に冷却し、Ｎ，Ｎ−ジメチル−１，２−ジアミノエタン（４．５０ｇ；Ｓｉｇｍａ−Ａｌｄｒｉｃｈ（Ｓｔ．Ｌｏｕｉｓ，ＭＯ）から入手可能）を添加する。この混合物を、８０℃で６時間、撹拌及び窒素スイープを行いながら加熱する。過剰なＮ，Ｎ−ジメチル−１，２−ジアミノエタンを、減圧下で回転蒸発によって除去し、粘性の液体を得る。
【００８０】
合成例６．イミン官能化ポリジメチルシロキサンを、以下のように生成する。
メチルヒドロシロキサン−ジメチルシロキサンコポリマー、ＨＭＳ−１５１（２５．００ｇ；粘度２５〜３５ｃＰ；１９００〜２０００ＭＷ；４９０ｇ／モルのメチルヒドロシロキサン官能基ＭＷ；Ｇｅｌｅｓｔ，Ｉｎｃ．（Ｍｏｒｒｉｓｖｉｌｌｅ，ＰＡ）から入手可能）を、５−ヘキセン−２−オン（５．２６ｇ；Ｓｉｇｍａ−Ａｌｄｒｉｃｈ（Ｓｔ．Ｌｏｕｉｓ，ＭＯ）から入手可能）と合わせ、この混合物を撹拌しながら７０℃まで加熱する。キシレン中の白金（０）−１，３−ジビニル−１，１，３，３−テトラメチルジシロキサン錯体溶液（Ｐｔ約２％）（０．１４ｇ；Ｓｉｇｍａ−Ａｌｄｒｉｃｈ（Ｓｔ．Ｌｏｕｉｓ，ＭＯ）から入手可能）を滴下し、この混合物を１１０℃で２．５時間加熱する。混合物を周囲に冷却し、エチレンジアミン（７．６７ｇ；Ｓｉｇｍａ−Ａｌｄｒｉｃｈ（Ｓｔ．Ｌｏｕｉｓ，ＭＯ）から入手可能）を添加する。この混合物を、８０℃で６時間、撹拌及び窒素スイープを行いながら加熱する。過剰なエチレンジアミンを、減圧下で回転蒸発によって除去し、粘性の液体を得る。
【００８１】
合成例７．エステル官能化ポリジメチルシロキサンを、以下のように生成する。
（カルボキシデシル）メチル−ジメチルシロキサンコポリマー、Ｘ−２６−１１９２（１４．００ｇ；２５℃で２８９０ｍｍ２／秒の粘度；Ｓｈｉｎ−Ｅｔｓｕ  Ｓｉｌｉｃｏｎｅｓ  ｏｆ  Ａｍｅｒｉｃａ  Ｉｎｃ．（Ａｋｒｏｎ，ＯＨ）から入手可能）を、エタノールアミン（４．３８ｇ；ＭｉｌｌｉｐｏｒｅＳｉｇｍａ（Ｓｔ．Ｌｏｕｉｓ，ＭＯ）から入手可能）、及びクメンスルホン酸（１６．１９ｇ、Ｎｅａｓｅ，Ｗｅｓｔ  Ｃｈｅｓｔｅｒ，ＯＨから入手可能）と組み合わせる。この混合物を、１５０℃で１６時間、撹拌及び窒素スイープを行いながら加熱する。
【００８２】
合成例８．エステル官能化ポリジメチルシロキサンを、以下のように生成する。
（カルボキシデシル）メチル−ジメチルシロキサンコポリマー、Ｘ−２６−１１９２（１３．００ｇ；２５℃で２８９０ｍｍ２／秒の粘度；Ｓｈｉｎ−Ｅｔｓｕ  Ｓｉｌｉｃｏｎｅｓ  ｏｆ  Ａｍｅｒｉｃａ  Ｉｎｃ．（Ａｋｒｏｎ，ＯＨ）から入手可能）を、２−ジメチルエタノールアミン（１１．８７ｇ；ＭｉｌｌｉｐｏｒｅＳｉｇｍａ（Ｓｔ．Ｌｏｕｉｓ，ＭＯ）から入手可能）と合わせる。この混合物を、１５０℃で１６時間、撹拌及び窒素スイープを行いながら加熱する。
【００８３】
合成例９．エステル官能化ポリジメチルシロキサンを、以下のように生成する。
（カルボキシデシル）メチル−ジメチルシロキサンコポリマー、Ｘ−２６−１１９２（１４．００ｇ；２５℃で２８９０ｍｍ２／秒の粘度；Ｓｈｉｎ−Ｅｔｓｕ  Ｓｉｌｉｃｏｎｅｓ  ｏｆ  Ａｍｅｒｉｃａ  Ｉｎｃ．（Ａｋｒｏｎ，ＯＨ）から入手可能）を、３−アミノ−１−プロパノール（５．３９ｇ；ＭｉｌｌｉｐｏｒｅＳｉｇｍａ（Ｓｔ．Ｌｏｕｉｓ，ＭＯ）から入手可能）、及びクメンスルホン酸（１４．９４ｇ；Ｎｅａｓｅ，Ｗｅｓｔ  Ｃｈｅｓｔｅｒ，ＯＨから入手可能）と組み合わせる。この混合物を、１５０℃で１６時間、撹拌及び窒素スイープを行いながら加熱する。
【００８４】
合成例１０．エステル官能化ポリジメチルシロキサンを、以下のように生成する。
（カルボキシデシル）メチル−ジメチルシロキサンコポリマー、Ｘ−２６−１１９２（１３．００ｇ；２５℃で２８９０ｍｍ２／秒の粘度；Ｓｈｉｎ−Ｅｔｓｕ  Ｓｉｌｉｃｏｎｅｓ  ｏｆ  Ａｍｅｒｉｃａ  Ｉｎｃ．（Ａｋｒｏｎ，ＯＨ）から入手可能）を、３−（ジメチルアミノ）−１−プロパノール（１３．７４ｇ；ＭｉｌｌｉｐｏｒｅＳｉｇｍａ（Ｓｔ．Ｌｏｕｉｓ，ＭＯ）から入手可能）と合わせる。この混合物を、１５０℃で１６時間、撹拌及び窒素スイープを行いながら加熱する。
【００８５】
合成例１１．エステル官能化ポリジメチルシロキサンを、以下のように生成する。
（カルビノール官能性）メチル−ジメチルシロキサンコポリマー、ＣＭＳ−２２２（１４．００ｇ；粘度１５０〜２００ｃＰ；５，５００〜６，５００ＭＷ；２０００ｇ／モルのヒドロキシ官能基ＭＷ；Ｇｅｌｅｓｔ，Ｉｎｃ．（Ｍｏｒｒｉｓｖｉｌｌｅ，ＰＡ）から入手可能）を、ベータアラニン（１．５６ｇ；ＭｉｌｌｉｐｏｒｅＳｉｇｍａ（Ｓｔ．Ｌｏｕｉｓ，ＭＯ）から入手可能）、及びクメンスルホン酸（３．６４ｇ；Ｎｅａｓｅ，Ｗｅｓｔ  Ｃｈｅｓｔｅｒ，ＯＨから入手可能）と組み合わせる。この混合物を、１５０℃で１６時間、撹拌及び窒素スイープを行いながら加熱する。
【００８６】
合成例１２．アミノ／メタクリロイルオキシマイケル付加官能化ポリジメチルシロキサンを、以下のように生成する。
（メタクリロイルオキシプロピル）メチル−ジメチルシロキサンコポリマー、ＲＭＳ−０８３（１０．００ｇ；２，０００〜３，０００ｃＰ粘度；７６９メタクリルオキシプロピル官能基ＭＷ；Ｇｅｌｅｓｔ，Ｉｎｃ．（Ｍｏｒｒｉｓｖｉｌｌｅ，ＰＡ）から入手可能）を、エチレンジアミン（２．４８ｇ；ＭｉｌｌｉｐｏｒｅＳｉｇｍａ（Ｓｔ．Ｌｏｕｉｓ，ＭＯ）から入手可能）、及び２−エチル−１−ヘキサノール（３．１２ｇ；ＭｉｌｌｉｐｏｒｅＳｉｇｍａ（Ｓｔ．Ｌｏｕｉｓ，ＭＯ）から入手可能）と合わせる。この混合物を、１３５℃で１８時間、撹拌しながら加熱する。過剰なエチレンジアミンを、減圧下で回転蒸発によって除去し、粘性の液体を得る。
【００８７】
合成例１３．アミノ／メタクリロイルオキシマイケル付加官能化ポリジメチルシロキサンを、以下のように生成する。
（メタクリロイルオキシプロピル）メチル−ジメチルシロキサンコポリマー、ＲＭＳ−０３３（５．００ｇ；１，０００〜２，０００ｃＰ粘度；２５８４メタクリルオキシプロピル官能基ＭＷ；Ｇｅｌｅｓｔ，Ｉｎｃ．（Ｍｏｒｒｉｓｖｉｌｌｅ，ＰＡ）から入手可能）を、エチレンジアミン（０．４７ｇ；ＭｉｌｌｉｐｏｒｅＳｉｇｍａ（Ｓｔ．Ｌｏｕｉｓ，ＭＯ）から入手可能）、及び２−エチル−１−ヘキサノール（１．３７ｇ；ＭｉｌｌｉｐｏｒｅＳｉｇｍａ（Ｓｔ．Ｌｏｕｉｓ，ＭＯ）から入手可能）と合わせる。この混合物を、１３５℃で１８時間、撹拌しながら加熱する。過剰なエチレンジアミンを、減圧下で回転蒸発によって除去し、粘性の液体を得る。
【００８８】
加水分解例
加水分解例１．本開示によるシロキサンポリマーの加水分解を示すために、サンプルをｐＨ７で溶液中に提供し、２２℃で７日間保存する。溶液は、合成例７による０．１％のエステル官能化ポリジメチルシロキサンポリマーを含んでいた。溶液は、８８．９％の２−プロパノール−ｄ８、５．７％の重水素酸化物、５．０％のメタノール−ｄ４、及び０．３％のｐＨ７．０までの水性緩衝液を更に含む。
【００８９】
保存中の様々な時点で、エタノールアミンの存在について１Ｈ  ＮＭＲ技術を使用して溶液を分析する。エタノールアミンは、提供されるシロキサンポリマーの加水分解副生成物であるため、放出されたエタノールアミンの相対的な割合は、水中で加水分解された全エステル結合の割合と直接等しくなる。結果を表１に示す。
【００９０】
【表１】
2021520437.tif 000019
【００９１】
表１に示すデータが示すように、シロキサンポリマーのペンダント内のエステル結合は、ｐＨ７の水の存在下で開裂する。
【００９２】
組成物例
以下の配合は、本開示によるシロキサンポリマーを含む例示的な消費者製品組成物である。消費者製品は、従来の方法に従って製造されてもよく、そのような種類の消費者製品が典型的に使用される方法で使用されてもよい。全ての成分濃度は、別途記載のない限り、組成物の重量パーセントとして提供される。
【００９３】
組成物例１．液体布地強化剤
以下の表２に示される成分を一緒に混合することにより液体布地強化剤を調製する。
【００９４】
【表２】
2021520437.tif 000020
１以下のＦＳＡのいずれか：Ｎ，Ｎ−ジ（タローオイルオキシエチル）−Ｎ，Ｎ−ジメチルアンモニウムクロリド；メチルビス（タローアミドエチル）２−ヒドロキシエチルアンモニウムメチルサルフェート；及び／又はモル比１．５：１での脂肪酸とメチルジエタノールアミンとの化合物。塩化メチルで四級化し、Ｎ，Ｎ−ビス（ステアロイル−オキシ−エチル）Ｎ，Ｎ−ジメチルアンモニウムクロリドとＮ−（ステアロイル−オキシ−エチル）Ｎ−ヒドロキシエチルＮ，Ｎジメチルアンモニウムクロリドとの１：１モル混合物が生じる。
【００９５】
組成物例２．液体布地強化剤
以下の表３に示される成分を一緒に混合することにより液体布地強化剤を調製する。
【００９６】
【表３】
2021520437.tif 000021
ａＮ，Ｎ−ジ（タローオイルオキシエチル）−Ｎ，Ｎ−ジメチルアンモニウムクロリド。
ｂメチルビス（タローアミドエチル）２−ヒドロキシエチルアンモニウム硫酸メチル。
ｃモル比１．５：１での脂肪酸とメチルジエタノールアミンとの化合物。塩化メチルで四級化し、Ｎ，Ｎ−ビス（ステアロイル−オキシ−エチル）Ｎ，Ｎ−ジメチルアンモニウムクロリドとＮ−（ステアロイル−オキシ−エチル）Ｎ−ヒドロキシエチルＮ，Ｎジメチルアンモニウムクロリドとの１：１モル混合物が生じる。
ｄＮａｔｉｏｎａｌ  Ｓｔａｒｃｈから商品名ＣＡＴＯ（登録商標）で入手可能なカチオン性高アミローストウモロコシデンプン。
ｆ米国特許第５，５７４，１７９号の第１５段、１〜５行目に記載の式を有する、エチレンオキシドとテレフタレートとのコポリマー（式中、各Ｘはメチルであり、各ｎは４０であり、ｕは４であり、各Ｒ１は本質的に１，４−フェニレン部分であり、各Ｒ２は、本質的にエチレン、１，２−プロピレン部分である）、又はこれらの混合物である。
ｇＷａｃｋｅｒ製ＳＥ３９。
ｈジエチレントリアミン五酢酸。
ｉＲｏｈｍ  ａｎｄ  Ｈａａｓ  Ｃｏ．から入手可能なＫＡＴＨＯＮ（登録商標）ＣＧ「ＰＰＭ」は、「百万分率」。
ｊグルテルアルデヒド（Gluteraldehyde）
ｋＤＣ２３１０の商品名でＤｏｗ  Ｃｏｒｎｉｎｇ  Ｃｏｒｐ．から入手可能なシリコーン消泡剤。
ｌＡｃｕｌａｎ  ４４の商品名でＲｏｈｍ  ａｎｄ  Ｈａａｓから入手可能な疎水的に修飾されたエトキシル化ウレタン。
【００９７】
組成物例３．乾燥洗濯物配合物
表４に示されるように、以下の成分を含む乾燥洗濯配合物（例えば、粉末組成物）を調製する。
【００９８】
【表４】
2021520437.tif 000022
【００９９】
組成物例４．固体洗濯配合物
表５に示すように、以下の成分を含む固体洗濯配合物（例えば、固体洗浄ビーズ／パステル、又は粉末）を調製する。
【０１００】
【表５】
2021520437.tif 000023
１５，０００〜１１，０００Ｄａの分子量を有するポリエチレングリコール
【０１０１】
本明細書にて開示された寸法及び値は、列挙された正確な数値に厳密に限定されるものとして理解されるべきではない。その代わりに、別途指示のない限り、このような寸法はそれぞれ、列挙された値とその値を囲む機能的に同等な範囲との両方を意味することが意図されている。例えば、「４０ｍｍ」と開示された寸法は、「約４０ｍｍ」を意味することが意図される。
【０１０２】
相互参照される又は関連する全ての特許又は特許出願、及び本願が優先権又はその利益を主張する任意の特許出願又は特許を含む、本願に引用される全ての文書は、除外又は限定することを明言しない限りにおいて、参照によりその全体が本明細書に組み込まれる。いかなる文献の引用も、本明細書中で開示又は特許請求される任意の発明に対する先行技術であるとはみなされず、あるいはそれを単独で又は他の任意の参考文献（単数又は複数）と組み合わせたときに、そのようないかなる発明も教示、示唆又は開示するとはみなされない。更に、本文書における用語の任意の意味又は定義が、参照により組み込まれた文書内の同じ用語の任意の意味又は定義と矛盾する場合、本文書においてその用語に与えられた意味又は定義が適用されるものとする。
【０１０３】
本発明の特定の実施形態を例示及び説明してきたが、本発明の趣旨及び範囲から逸脱することなく他の様々な変更及び修正を行うことができる点は当業者には明白であろう。従って、本発明の範囲内にあるそのような全ての変更及び修正を、添付の特許請求の範囲に網羅することが意図されている。
【図１−１】
2021520437.tif 000039
【図１−２】
2021520437.tif 000040
【図１−３】
2021520437.tif 000041
【図１−４】
2021520437.tif 000042
【国際調査報告】
2021520437.tif 000043
2021520437.tif 000044